(57)【要約】【課題】  北京鍋や中華鍋等その取手に容易に装着され、また、調理の際取手の手元に回り込んでくる火炎を効果的に遮断して鍋からの伝熱を和らげるとともに、調理途中においてみだりに鍋が動いたりすることなく装着される鍋の取手用保護具を提供する。【解決手段】  鍋本体１の縁部２に一体的に形成される取手３に着脱可能に取付けられて伝熱を遮断する断熱把手部５と、鍋本体１の底部４から回り込んでくる火炎を遮蔽する火炎防止部６と、鍋本体１のずれや不用意な動きを防止する揺動防止部７とより構成されている。【選択図】図１
2010036013.tif 000002
【特許請求の範囲】
【請求項１】
鍋本体の縁部に一体的に形成される取手に着脱可能に取付けられて伝熱を遮断する断熱把手部と、鍋本体の底部から回り込んでくる火炎を遮蔽する火炎防止部と、鍋本体のずれや不用意な動きを阻止する揺動防止部を備えた鍋の取手用保護具。
【請求項２】
前記断熱把手部は、弾発性を有する回転可能なカバー片を設けて取手に着脱可能に装着してなる請求項１記載の鍋の取手用保護具。
【請求項３】
前記揺動防止部は、断熱把手部の先端側の上方に設けられ、鍋本体の縁部に引掛け係止される鉤片と、終端部に設けられるずれ止め突起とからなる請求項１に記載の鍋の取手用保護具。
【請求項４】
前記断熱把手部は、断熱材若しくは耐熱処理されて形成され、火炎を遮蔽する火炎防止部は耐火材を用いてなる請求項１ないし３のいずれかに記載の鍋の取手用保護具。
【請求項５】
北京鍋等の棒状の取手を有する鍋に使用されるものであって、鍋本体の縁部に一体的に形成される棒状の取手に、着脱可能に取付けられて伝熱を遮断する断熱把手部は、棒状の取手よりも僅かに大径とする長筒状体の上部側に、両開きで、かつ、弾発性をもつ回転可能なカバー片を有する挿入部を設けてなり、鍋本体の底部から回り込んでくる火炎を遮蔽する火炎防止部は、前記断熱把手部の先端側下方に形成されて、その周縁部を有した板状体からなり、鍋本体のずれや不用意な動きを阻止する揺動防止部は、断熱把手部の先端側の上方に設けられ、鍋本体の縁部に引掛け係止される鉤片と、終端部に設けられるずれ止め突起とからなる請求項１記載の鍋の取手用保護具。
【請求項６】
中華鍋等の略リング状の取手を有する鍋に使用されるものであって、鍋本体の縁部に一体的に形成されるリング状の取手に、着脱可能に取付けられて伝熱を遮断する断熱把手部は、やや幅広の平板状板体の根元側に、その略中央に押止部を設けた弾発性を有する回転可能なカバー片を取付けてリング状の取手の上部側を装着する挿入部を形成してなり、鍋本体の底部から回り込んでくる火炎を遮蔽する火炎防止部は、前記断熱把手部の先端側下方に形成されて、根元側から指を差し込み可能とする挿入開口を有して前記平板状板体と共に形成される箱状体からなり、鍋本体のずれや不用意な動きを阻止する揺動防止部は、前記断熱把手部の先端側に形成され、鍋本体の裏面側の曲面に合致する載置片と、断熱把手部の平板状板体に突設され鍋本体の縁部に係止される鈎状回り縁とから形成される請求項１記載の鍋の取手用保護具。
【発明の詳細な説明】
【技術分野】
【０００１】  本発明は、棒状の取手を有する北京鍋あるいは略リング状の耳部と称せられる持ち手すなわち取手を有する中華鍋等において、これらの取手を掴んで調理する際レンジやガスコンロの火炎から料理人の持ち手を防護する鍋の取手用保護具に関するものである。
【背景技術】
【０００２】  従来、北京鍋においては鉄等の金属製の鍋本体部と連続あるいは一体的に同じく鉄等の金属製の棒状の取手が設けられ、また、鍋の縁部の対応する部位に略リンク状の耳部と称せられる取手を鍋の対応する両側の縁部にもつ中華鍋においても、鉄等の金属製の鍋本体部と連続あるいは一体的に同一の材料で製せられていたものが用いられている。【０００３】
【発明の開示】
【発明が解決しようとする課題】
【０００４】  しかしながら、この種の北京鍋や中華鍋等を用いて料理人が調理するときは、レンジやガスコンロの火炎や熱が鍋本体とともに取手に伝達されるため、一般的に厚手の手袋や布等で包み伝熱や火炎を防いでいた。【０００５】  しかし、手袋や布等を利用して火炎や熱を防ぐ場合、調理のたびに手に嵌めたり、着けたりするため、その作業が煩雑となり、また、鍋を扱う料理人が手指に火傷を負ってしまい十分保護するまでに至らなかった。【０００６】  本発明は、北京鍋や中華鍋等その取手に容易に装着され、また、調理の際取手の手元に回り込んでくる火炎を効果的に遮断して鍋からの伝熱を和らげるとともに、調理途中においてみだりに鍋が動いたりすることなく装着される鍋の取手用保護具を提供するものである。
【課題を解決するための手段】
【０００７】  上記目的を達成するため、本発明に係る鍋の取手用保護具は、鍋本体の縁部に一体的に形成される取手に着脱可能に取付けられて伝熱を遮断する断熱把手部と、鍋本体の底部から回り込んでくる火炎を遮蔽する火炎防止部と、鍋本体のずれや不用意な動きを阻止する揺動防止部を備えたことを特徴とするものである。【０００８】  さらに、前記断熱把手部は、弾発性を有する回転可能なカバー片を設けて取手に着脱可能に装着してなることを特徴とするものである。【０００９】  さらに、前記揺動防止部は、断熱把手部の先端側の上方に設けられ、鍋本体の縁部に引掛け係止される鉤片と、終端部に設けられるずれ止め突起とからなることを特徴とするものである。【００１０】  さらに、前記断熱把手部は、断熱材若しくは耐熱処理されて形成され、火炎を遮蔽する火炎防止部は耐火材を用いてなることを特徴とするものである。【００１１】  さらに、北京鍋等の棒状の取手を有する鍋に使用されるものであって、鍋本体の縁部に一体的に形成される棒状の取手に、着脱可能に取付けられて伝熱を遮断する断熱把手部は、棒状の取手よりも僅かに大径とする長筒状体の上部側に、両開きで、かつ、弾発性をもつ回転可能なカバー片を有する挿入部を設けてなり、鍋本体の底部から回り込んでくる火炎を遮蔽する火炎防止部は、前記断熱把手部の先端側下方に形成されて、その周縁部を有した板状体からなり、鍋本体のずれや不用意な動きを阻止する揺動防止部は、断熱把手部の先端側の上方に設けられ、鍋本体の縁部に引掛け係止される鉤片と終端部に設けられるずれ止め突起とからなることを特徴とするものである。【００１２】  さらに、中華鍋等の略リング状の取手を有する鍋に使用されるものであって、鍋本体の縁部に一体的に形成されるリング状の取手に、着脱可能に取付けられて伝熱を遮断する断熱把手部は、やや幅広の平板状板体の根元側に、その略中央に押止部を設けた弾発性を有する回転可能なカバー片を取付けてリング状の取手の上部側を装着する挿入部を形成してなり、鍋本体の底部から回り込んでくる火炎を遮蔽する火炎防止部は、前記断熱把手部の先端側下方に形成されて、根元側から指を差し込み可能とする挿入開口を有して前記平板状板体と共に形成される箱状体からなり、鍋本体のずれや不用意な動きを阻止する揺動防止部は、前記断熱把手部の先端側に形成され、鍋本体の裏面側の曲面に合致する載置片と、断熱把手部の平板状板体に突設され鍋本体の縁部に係止される鈎状回り縁とから形成されることを特徴とするものである。
【発明の効果】
【００１３】  上記の構成を有する本発明に係る鍋の取手用保護具によれば、加熱された鍋本体から伝わった熱をもっている取手に触れることなく伝熱を遮断している断熱把手部を掴んで調理され、また、遮蔽板によって鍋本体の底部から回り込んでくる火炎が遮断されて断熱把手部を掴んでいる手指が保護され、さらに、陽動防止部が鍋本体にしっかりと係止されて調理の際の様々の動きに対して、断熱把手部や遮蔽板が滑ったり、外れたりして調理に支障をきたすことがない。【００１４】  さらに、断熱把手部には、弾発性を有する回転可能なカバー片を設けていることにより、断熱把手部を鍋本体の取手への装着や取外しが容易に、かつ円滑に行うことができる。【００１５】  さらに、断熱把手部は取手に着脱性を有して装着されていることにより、別の料理を作るために鍋を洗うとき簡単に取り外して洗浄作業を容易に行うことができると共に別の鍋への取付がように行なわれる。【００１６】  また、揺動防止部は、断熱把手部の先端側の上方に設けられ、鍋本体の縁部に引掛け係止される鉤片と終端部に設けられるずれ止め突起とからなることによって、調理途中、不用意に取手から脱抜や脱落する恐れがなく、また、断熱把手部から手を離して調理台に置いたときもその装着状態を維持することができる。【００１７】  取手が北京鍋のように棒状であっても、中華鍋のようにリング状であっても容易に対応することができる。【００１８】  断熱把手部は断熱材若しくは耐熱処理されて形成され、火炎を遮蔽する火炎防止部は耐火材を用いることによって、調理する際使用する火炎等に対して長期間の使用に耐えることができる。
【発明を実施するための最良の形態】
【００１９】  以下、本発明に係る鍋の取手用保護具について、添付図面を用いて説明する。
図１ないし図５は、本発明を構成する鍋の取手用保護具を北京鍋への適用を示すもので、図６ないし図８は、中華鍋への適用を示すものである。【００２０】  本発明に係る鍋の取手用保護具は、鍋本体１の縁部２に一体的に形成される取手３に着脱可能に取付けられて伝熱を遮断するよう断熱材若しくは対価処理された断熱把手部５と、鍋本体１の底部４から回り込んでくる火炎を遮蔽する耐火材が用いられる火炎防止部６と、鍋本体１のずれや不用意な動きを防止する耐火材からなる揺動防止部７とより構成されている。【００２１】  以下、北京鍋に適用される本発明に係る鍋の取手用保護具について、図１ない図５により説明する。【００２２】  鍋本体１の縁部２に一体的に形成される棒状の取手３ａに、着脱可能に装着して取付けられて鍋本体１から伝わる熱を遮断する断熱把手部５は、棒状の取手３ａよりも僅かに大径とする長筒状体１０の上部側に、両開きで、かつ、ばね部を介して弾発性を有する回転可能なカバー片１１、１１を有する開口状の挿入部１２を設けている。【００２３】  鍋本体１の底部４から回り込んでくる火炎を遮蔽する火炎防止部６は、断熱把手部５の先端側下方に設けられ、その周縁部を内側に向けて有した板状体１３から形成されている。【００２４】  鍋本体１から取手用保護具のずれや不用意な動きを防止する揺動防止部７は、断熱把手部５の先端側の上方に設けられ、鍋本体１の縁部２に引掛け係止される鉤片１４と終端部に設けられるずれ止め突起１５とより形成されている。【００２５】  上記のように構成されている取手用保護具を北京鍋に装着するには、図３に示すように、長筒状体１０の上部側に形成されるカバー片１１、１１がばね部の付勢力により外側に開いて挿入部１２が開口状になった状態で取手３ａを包み込むように長筒状体１０に装着し、鍋本体１の縁部２に揺動防止部７の鉤片１４を引掛け係止して装着される。【００２６】  このようにして装着された後、図４に示すように、カバー片１１、１１をばね部の付勢に抗して挿入部１２を塞いで使用に供される。【００２７】  この際、長筒状体１０の終端部に設けられるずれ止め突起１５によって、長筒状体１０が取手３ａからみだりに脱抜したり、脱落したりすることが防止されている。【００２８】  断熱把手部５の先端側下方に設けられ、その周縁部を内側に向けて縁部を有した板状体１３から形成されている火炎防止部６は、その使用状態においてレンジやコンロの火炎が断熱把手部５を掴んで調理しているとき、その火炎が回り込んで手元側に及ばないように遮断されていると同時に、図３に示すように、鍋を置いたとき支え部として機能されるものである。【００２９】この断熱把手部５は、上方側に両開きの弾発性をもつカバー片１１、１１を開閉可能に形成して挿入部１２を設けて、取手３ａを装着または除去したもので説明したが、図５に示すように、長筒状体１０をその上半部１０ａと下半部１０ｂに分割して、その上半部１０ａを弾発性を有するカバー片１１として、下半部１０ｂを挿入部１２として軸を介して回転可能に形成するものであってもよい。【００３０】  次に中華鍋に適用される本発明に係る鍋の取手用保護具について、図６ないし図８により説明する。【００３１】  ��本体１の縁部２に一体的に形成されるリング状の取手３ｂに、着脱可能に装着して取付けられて鍋本体１から伝わる熱を遮断する断熱把手部５は、やや幅広の平板状板体２０の根元側に、その略中央に押止部２１を設けた弾発性を有する回転可能なカバー片２２を取付けてリング状の取手３ｂの上部側を装着する挿入部２３を形成している。【００３２】  鍋本体１の底部４から回り込んでくる火炎を遮蔽する火炎防止部６は、断熱把手部５の先端側下方に形成されて、根元側から指を差し込み可能とする挿入開口２４を有して平板状板体２０と共に形成される箱状体２５から形成されている。【００３３】  鍋本体１から取手用保護具のずれや不用意な動きを防止する揺動防止部７は、図７に示すように、断熱把手部５の先端側に設けられ、鍋本体１の裏面側の曲面に合致する載置片２６と、断熱把手部５の平板状板体２０に突設され鍋本体１の縁部２に係止される鈎状回り縁２７とから形成されている。【００３４】  上記のように構成されている中華鍋に用いられる取手用保護具を装着するには、図８に示すように、断熱把手部５のやや幅広の平板状板体２０と、その根元側に設けられて弾発性を有して開放状態になっているカバー片２２との間に形成される挿入部２３にリング状の取手３ｂの上部側を装着し、付勢に抗してカバー片２２を回転させてその略中央に設けた押止部２１で取手３ｂを挟持する。【００３５】  断熱把手部５のカバー片２２をリング状の取手３ｂに装着する同時に、断熱把手部５に突設されている揺動防止部７の鈎状回り縁２７を鍋本体１の縁部２に引掛け係止し、かつ先端側に設けられた載置片２６を鍋本体１の裏面側の曲面に合致させて当てる。なお、この載置片２６は鍋を置いたとき支え部として機能されるものである。【００３６】  図７及び図８に示すように、火炎防止部６の挿入開口２４より箱状体２５に人差し指から小指までの４本の指を入れて平板状板体２０を下から支え、断熱把手部５を介してリング状の取手３ｂを掴んでいる親指と協働して、レンジやコンロの火炎が回り込んで手元側に及ばないように遮断して調理の際の使用に供されている。
【図面の簡単な説明】
【００３７】
【図１】  北京鍋に使用する鍋の取手用保護具の装着状態を示す斜視図である。
【図２】  同じく北京鍋に使用する鍋の取手用保護具の態様を示す斜視図である。
【図３】  同じく北京鍋に使用する鍋の取手用保護具の装着状態を示す斜視図である。
【図４】  同じく北京鍋に使用する鍋の取手用保護具の使用状態を示す斜視図である。
【図５】  同じく北京鍋に使用する鍋の取手用保護具の他の態様を示す斜視図である。
【図６】  中華鍋に使用する鍋の取手用保護具の態様の上面側を示す斜視図である。
【図７】  同じく中華鍋に使用する鍋の取手用保護具の態様の下面側を示す斜視図である。
【図８】  同じく中華鍋に使用する鍋の取手用保護具の使用状態を示す斜視図である。
【符号の説明】
【００３８】１    鍋本体
２    鍋本体の縁部
３    取手
３ａ  棒状の取手
３ｂ  リング状の取手
４    鍋本体の底部
５    断熱把手部
６    火炎防止部
７    搖動防止部
１０  北京鍋用の断熱把手部５の長筒状体
１１  北京鍋用の断熱把手部５のばね片
１２  北京鍋用の断熱把手部５の挿入部
１３  北京鍋用の火炎防止部６の板状体
１４  北京鍋用の搖動防止部７の鉤片
１５  北京鍋用の搖動防止部７のずれ止め突起
２０  中華鍋用の断熱把手部５の平板状板体
２１  中華鍋用の断熱把手部５の押止部
２２  中華鍋用の断熱把手部５のカバー片
２３  中華鍋用の断熱把手部５の挿入部
２４  中華鍋用の火炎防止部６の挿入開口
２５  中華鍋用の火炎防止部６の箱状体
２６  中華鍋用の搖動防止部７の載置片
２７  中華鍋用の搖動防止部７の鈎状回り縁
【図１】
2010036013.tif 000003
【図２】
2010036013.tif 000004
【図３】
2010036013.tif 000005
【図４】
2010036013.tif 000006
【図５】
2010036013.tif 000007
【図６】
2010036013.tif 000008
【図７】
2010036013.tif 000009
【図８】
2010036013.tif 000010